(57)【要約】【課題】グラウトの流動性が長い時間保てるようにし、補修作業を行なっている実質的な時間を増やして作業効率の向上を図る。【解決手段】上面に開口２を有しグラウトを収納する中空状の本体１と、本体１に着脱可能に設けられ開口２を閉塞する蓋３と、蓋３に取り付けられ本体１内に延びるサクション部１２により本体１内のグラウトを吸引し本体１の外部へ吐出するポンプＰとを備え、本体１内部に開口２から出し入れ可能に設けられ上記グラウトが入れられる容器２０と、容器２０内のグラウトを攪拌する攪拌手段３０と、容器２０内のグラウトを加温する加温手段５０とを備えた。【選択図】　図１
0003097214.tif 000002
【実用新案登録請求の範囲】
【請求項１】
上面に開口を有しグラウトを収納する中空状の本体と、該本体に着脱可能に設けられ上記開口を閉塞する蓋と、該蓋に取り付けられ上記本体内に延びるサクション部により該本体内のグラウトを吸引し該本体の外部へ吐出するポンプとを備えたグラウト用ポンプ装置において、
上記本体内部に上記開口から出し入れ可能に設けられ上記グラウトが入れられる容器と、上記容器内のグラウトを攪拌する攪拌手段と、上記容器内のグラウトを加温する加温手段とを備えて構成したことを特徴とするグラウト用ポンプ装置。
【請求項２】
上記攪拌手段を、上記容器をその軸線を中心に回転させる回転機構と、上記容器内に設けられるブレードとを備えて構成したことを特徴とする請求項１記載のグラウト用ポンプ装置。
【請求項３】
上記回転機構を、上記本体の底部に回転自在に設けられ上記容器を支持するテーブルと、上記本体に付設される電動モータと、該電動モータの回転を上記テーブルに伝達する回転伝達機構とを備えて構成したことを特徴とする請求項２記載のグラウト用ポンプ装置。
【請求項４】
上記回転伝達機構を上記テーブルに延設した回転軸と、該テーブルの回転軸と上記電動モータの回転軸とに設けた一対のプーリと、上記一対のプーリ間に架け渡されるタイミングベルトとを備えて構成したことを特徴とする請求項３記載のグラウト用ポンプ装置。
【請求項５】
上記ブレードをサクション部に固定したことを特徴とする請求項２，３または４記載のグラウト用ポンプ装置。
【請求項６】
上記本体と上記容器との間に上記容器の回転をガイドするガイド体を備えたことを特徴とする請求項１，２，３，４または５記載のグラウト用ポンプ装置。
【請求項７】
上記ガイド体に、上記容器の外側を転動するローラを複数備えたことを特徴とする請求項６記載のグラウト用ポンプ装置。
【請求項８】
上記加温手段を、上記本体内部に設けられ上記容器の外側を加温するヒータと、上記ヒータの加温温度を制御する温度制御器とを備えたことを特徴とする請求項１，２，３，４，５，６または７記載のグラウト用ポンプ装置。
【請求項９】
上記ポンプを手動のピストンポンプで構成したことを特徴とする請求項１，２，３，４，５，６，７または８記載のグラウト用ポンプ装置。
【請求項１０】
上面に開口を有しグラウトを収納する中空状の本体と、該本体に着脱可能に設けられ上記開口を閉塞する蓋と、該蓋に取り付けられ上記本体内に延びるサクション部により該本体内のグラウトを吸引し該本体の外部へ吐出するポンプとを備えたグラウト用ポンプ装置において、
上記本体内部に上記開口から出し入れ可能に設けられ上記グラウトが入れられる容器と、上記容器内のグラウトを攪拌する攪拌手段と、上記容器内のグラウトを加温する加温手段とを備えて構成し、
上記攪拌手段を、上記容器をその軸線を中心に回転させる回転機構と、上記容器内に設けられ、上記サクション部に固定されるブレードとを備えて構成し、
上記回転機構を、上記本体の底部に回転自在に設けられ上記容器を支持するテーブルと、上記本体に付設される電動モータと、該電動モータの回転を上記テーブルに伝達する回転伝達機構とを備えて構成し、
上記回転伝達機構を上記テーブルに延設した回転軸と、該テーブルの回転軸と上記電動モータの回転軸とに設けた一対のプーリと、上記一対のプーリ間に架け渡されるタイミングベルトとを備えて構成し、
上記本体と上記容器との間に上記容器の回転をガイドするガイド体を備え、該ガイド体に、上記容器の外側を転動するローラを複数備え、
上記加温手段を、上記本体内部に設けられ上記容器の外側を加温するヒータと、上記ヒータの加温温度を制御する温度制御器とを備えて構成し、
該温度制御器に容器の温度を設定する温度設定ダイヤルを設け、該温度制御器に上記容器の温度を検知するセンサの当該検知温度に基づいて、上記温度設定ダイヤルで設定された設定温度に制御する機能を備えたことを特徴とするグラウト用ポンプ装置。
【考案の詳細な説明】
【０００１】
【考案の属する技術分野】
本考案は、例えばコンクリート構造物の補修箇所に注入されるグラウトを吸引吐出するグラウト用ポンプ装置に関する。
【０００２】
【従来の技術】
一般に、グラウトは、例えば、コンクリート構造物の亀裂や隙間等を補修する目的で使用されている。このグラウトは、グラウト用ポンプ装置から送給されてコンクリート構造物の該当箇所に注入される。
従来、この種のグラウト用ポンプ装置Ｓａは、図６に示すように、例えば、上面に開口２を有しグラウトが入れられる中空状の本体１と、本体１に着脱可能に設けられ、開口２を閉塞する蓋３と、蓋３に取り付けられ本体１内に延びるサクション部（図示せず）により本体１内のグラウトを吸引し本体１の外部へ吐出する手動ポンプＰとを備えている。４は本体１に設けられ蓋３を固定するためのフック状の止め部材である。
【０００３】
手動ポンプＰのサクション部は、レバー１１の操作により駆動されるピストンポンプ１０で構成されており、シリンダ（図示せず）内のピストン１３が上下動することにより、本体１内部のグラウトを吐出口部１４から本体１外部へ吐出する。
このグラウト用ポンプ装置Ｓａを使用する際は、先ず、蓋３を本体１から取り外して、本体１にグラウトを入れ、それから蓋３をする。この状態で、レバー１１を適宜上下に操作してグラウトを吐出口部１４から吐出させる（例えば、特許文献１（特開２００２−２３５６５８号公報）に記載）。
【０００４】
【特許文献１】
特開２００２−２３５６５８号公報
【０００５】
【考案が解決しようとする課題】
ところで、この従来のグラウト用ポンプ装置Ｓａを用いたグラウトの注入補修作業は、グラウトが硬化する前であって流動性が保たれている状態でなければグラウトをポンプＰで吸引，吐出できなくなるので、グラウトの流動性がなくなる前に補修作業を終えるようにするが、グラウトは、比較的短時間で流動性が失われていくことから、それだけ、作業時間を短く設定しなければならないことになり、作業に制約が生じるという問題があった。即ち、例えば、本体１にグラウトを詰めた状態で装置Ｓａを持ち運びする時間等、この装置Ｓａから実際にグラウトを亀裂や隙間に注入する補修作業以外の時間が、例えば、補修箇所が方々に複数あって長くなると、グラウトの流動性が保たれている時間のうち、補修作業に使える時間が短くなってしまい、作業効率が低下する。
【０００６】
本考案は上記の問題点に鑑みて為されたもので、グラウトの流動性が長い時間保てるようにし、補修作業を行なっている実質的な時間を増やして作業効率を向上させることのできるグラウト用ポンプ装置を提供することを目的とする。
【０００７】
【課題を解決するための手段】
このような目的を達成するための本考案のグラウト用ポンプ装置は、上面に開口を有しグラウトを収納する中空状の本体と、該本体に着脱可能に設けられ上記開口を閉塞する蓋と、該蓋に取り付けられ上記本体内に延びるサクション部により該本体内のグラウトを吸引し該本体の外部へ吐出するポンプとを備えたグラウト用ポンプ装置において、
上記本体内部に上記開口から出し入れ可能に設けられ上記グラウトが入れられる容器と、上記容器内のグラウトを攪拌する攪拌手段と、上記容器内のグラウトを加温する加温手段とを備えた構成としている。
【０００８】
これにより、攪拌手段で容器内のグラウトが攪拌されると、グラウトが容器内で均一に分散していくとともに、加温手段により加温されるので、容器内のグラウトは均一に加温され、そのため、グラウトの硬化が始まりにくくなり、流動性が長く保たれるようになり、それだけ、補修作業を行なっている実質的な時間を増やすことができ、作業効率が向上できる。
【０００９】
また、必要に応じ、上記攪拌手段を、上記容器をその軸線を中心に回転させる回転機構と、上記容器内に設けられるブレードとを備えて構成している。
容器が回転させられると、容器と共に回転しないブレードが、相対的に容器内のグラウトを攪拌する。これにより、確実に攪拌を行なうことができ、グラウトの硬化が始まりにくくなり、流動性が長く保たれるようになり、それだけ、補修作業を行なっている実質的な時間を増やすことができ、作業効率が向上できる。
【００１０】
また、必要に応じ、上記回転機構を、上記本体の底部に回転自在に設けられ上記容器を支持するテーブルと、上記本体に付設される電動モータと、該電動モータの回転を上記テーブルに伝達する回転伝達機構とを備えて構成している。
電動モータを動かしてテーブルを回転させるだけで、グラウトを攪拌できるので、機構が簡易になる。
【００１１】
更に、必要に応じ、上記回転伝達機構を上記テーブルに延設した回転軸と、該テーブルの回転軸と上記電動モータの回転軸とに設けた一対のプーリと、上記一対のプーリ間に架け渡されるタイミングベルトとを備えて構成している。
電動モータが動くと、電動モータの回転軸に備えられたプーリが回転し、タイミングベルトを介して、テーブルの回転軸に備えられたプーリが回転し、これにより、テーブルが回転する。タイミングベルト伝動機構を用いるので、テーブルが確実に回転され、容器も確実に回転し、攪拌を確実に行なうことができる。
【００１２】
更にまた、必要に応じ、上記ブレードをサクション部に固定している。
ブレードを直接回転しなくてもグラウトを攪拌できるので、機構が容易になる。
【００１３】
また、必要に応じ、上記本体と上記容器との間に上記容器の回転をガイドするガイド体を備えている。
容器が回転すると、遠心力で容器がぐらつき易くなるが、ガイド体でガイドされているので、ぐらつかないで回転し、容器が本体内部で倒れてグラウトがこぼれる事態を防止することができる。
また、必要に応じ、上記ガイド体に、上記容器の外側を転動するローラを複数備えている。
ローラが転動して容器をガイドするので、容器の回転を摩擦で止めることなく、ガイド体が容器を円滑にガイドすることができる。
【００１４】
更に、必要に応じ、上記加温手段を、上記本体内部に設けられ上記容器の外側を加温するヒータと、上記ヒータの加温温度を制御する温度制御器とを備えて構成している。
温度制御器で、温度を設定でき、容器内のグラウトは設定温度に保たれるので、容器内のグラウトの流動性を長く保てるようになり、補修作業を行なっている実質的な時間を増やすことができ、この点においても作業効率が向上できる。
上記ポンプを手動のピストンポンプで構成している。
既存のポンプを用いるので、製造コストを少なくできる。
【００１５】
そして、必要に応じ、温度制御器に容器の温度を設定する温度設定ダイヤルを設け、該温度制御器に上記容器の温度を検知するセンサの当該検知温度に基づいて、上記温度設定ダイヤルで設定された設定温度に制御する機能を備えて構成している。
温度設定ダイヤルにより、設定温度が設定されて、センサにより容器の温度を検知し、加温を制御できるので、加温しすぎることがないので、効率よくグラウトを加温することができる。
【００１６】
【考案の実施の形態】
以下、添付図面に基づいて、本考案の実施の形態に係るグラウト用ポンプ装置について詳細に説明する。尚、上記従来のグラウト用ポンプ装置を構成するものと同様のものには同一の符号を付している。
【００１７】
図１乃至図３には、本考案の実施の形態に係るグラウト用ポンプ装置Ｓを示している。このグラウト用ポンプ装置Ｓは、上面に開口２を有しグラウトを収納する中空状の本体１と、この本体１に着脱可能に設けられ開口２を閉塞する蓋３と、この蓋３に取り付けられ本体１内に延びるサクション部１２により本体１内のグラウトを吸引し本体１の外部へ吐出するポンプＰとを備えている。
【００１８】
本体１は、例えば鉄等の金属でカップ状に形成され、その開口縁部２ａは、断面が円形になるよう折曲形成されている。蓋３の一般部５は本体１の開口２に嵌合するように形成され、その外周縁６は、本体１の開口縁部２ａに支持されるように立ち上がり形成されている。そして、本体１の開口２の外側には、開口２を閉塞する際に蓋３の外周縁６に掛止されて蓋３が外れないようにするフック状の止め部材４が複数備えられている。本体１の開口縁部２ａと蓋３の外周縁６との接する部位にはゴム等のパッキン６ａが設けられている。また、本体１の下部には本体１の転倒を防止する中空板状の支持体８が備えられている。
【００１９】
ポンプＰは、手動のピストンポンプ１０で構成されている。ピストンポンプ１０は、蓋３に上面に固定されるベース１５と、ベース１５に垂下されピストン及びシリンダを備えたサクション部１２と、サクション部１２からのグラウトを吐出するパイプ状の吐出口部１４と、吐出口部１４に設けられた圧力計１６と、吐出口部１４に設けられグラウトの吐出を制御する一対のコック１７とを備えて構成されている。また、ベース１５には、支点１８を中心に揺動可能なレバー１１が設けられ、レバー１１の作用点にピストン１３の上端が連結されており、このレバー１１の揺動によりピストン１３を上下動させる。
既存のポンプを用いるので、製造コストが少なくできる。
【００２０】
本考案の実施の形態に係るグラウト用ポンプ装置Ｓにおいては、本体１内部には、開口２から出し入れ可能に設けられ、グラウトが入れられる金属製で円筒カップ状の容器２０が備えられている。この容器２０の底部２３には、図１，図４及び図５に示すように、容器２０の軸上に突設される軸凸部２１と、軸凸部２１から容器２０の外周までの間であって軸からＤだけ離れた位置に突設される突起２２とが設けられている。
【００２１】
また、グラウト用ポンプ装置Ｓには、容器２０内のグラウトを攪拌する攪拌手段３０と、容器２０内のグラウトを加温する加温手段５０とが備えられている。攪拌手段３０は、容器２０の軸線を中心に回転させる回転機構３１と、容器２０内に設けられるブレード３２とを備えて構成されている。
回転機構３１は、本体１の底部６に回転自在に設けられ容器２０を支持するテーブル３３と、本体１に付設される電動モータ３４と、電動モータ３４の回転をテーブル３３に伝達する回転伝達機構３５とを備えて構成されている。
【００２２】
テーブル３３は、その上面に容器２０がテーブル３３の軸と容器２０の軸が同軸になるように載置されるよう円盤状に形成されている。また、テーブル３３の上面には、テーブル３３の軸と同軸に備えられ容器２０の軸凸部２１が挿通される軸凹部３６と、テーブル３３の軸凹部３６からＤだけ離れテーブル３３の軸に対して対称な２箇所の位置において容器２０の突起２２が挿通される孔３７が設けられている。容器２０の突起２２は、孔３７のいずれか一方に挿通される。また、孔３７の上端縁には、容器２０の突起２２が挿通されやすいようにテーパ面３８が形成されている。
【００２３】
電動モータ３４は、本体１の支持体上に設けられている。３９は電動モータ３４の電源配線であって、電源配線３９には電動モータ３４をＯＮ，ＯＦＦするスイッチ（図示せず）が備えられている。
【００２４】
回転伝達機構３５は、本体１の支持体内に設けられており、テーブル３３の軸と同軸にテーブル３３の下面から下方に延設したテーブル回転軸４０と、このテーブル回転軸４０と電動モータ３４のモータ回転軸４１とに設けた一対のプーリ４２と、この一対のプーリ４２，４２間に架け渡されるタイミングベルト４３とを備えて構成されている。
【００２５】
本体１の底部６には、テーブル回転軸４０を軸支する平軸受け４４が備えられている。平軸受け４４は、ホルダ４５に保持されている。ホルダ４５は、本体１の底部６外側に当接する外側押さえ４６と、外側押さえ４６に突設され底部６を貫通する雄ネジ部４７と、本体１の底部６内側に当接し雄ネジ部４７に螺合する雌ネジを有したナット４８とを備え、ナット４８を雄ネジ部４７にねじ込むことにより、底部６に固定されている。平軸受け４４から露出するテーブル回転軸４０の端部にプーリ４２が備えられている。尚、テーブル３３の回転は、例えば３０ｒｐｍ程度である。
【００２６】
サクション部１２には、容器２０内のグラウトを相対的に攪拌するブレード３２が固定されている。このブレード３２は、例えばある程度硬さをもったゴム等の弾性体で形成され、その下縁が容器２０の底面を摺接するように容器２０の底部２３近傍に設けられ、座金３２ａを介してボルト４９及びナット（図示せず）でサクション部１２に固定されている。
【００２７】
加温手段５０は、本体１内部に設けられ容器２０の外側を加温するヒータ５１と、本体１外部であって蓋３の上部に位置させられヒータ５１の加温温度を制御する温度制御器５２とを備えて構成されている。
ヒータ５１は、本体１内部に沿って本体１の底部６まで延びる支持杆５３と、支持杆５３に連続するとともに本体１の底部６に設けられテーブル３３を囲繞する環状に曲成された環状部５４とを備え、支持杆５３の端部が温度制御器５２に接続されている。また、支持杆５３は、蓋３の端部に形成される切欠き９に挿通されている。
【００２８】
温度制御器５２は、上面に備えられ本体１内部の設定温度を設定するとともにヒータ５１の電源をＯＮ，ＯＦＦするスイッチを兼ねた温度設定ダイヤル５５を備えている。この温度制御器５２は、容器２０の温度を検知するセンサ５６で検知される容器２０の温度が設定温度よりも小さい場合はヒータ５１をＯＮにして、容器２０の温度が設定温度よりも大きいか同じ場合はヒータ５１をＯＦＦにしてヒータ５１を制御し、本体１内部の温度を制御している。５７はヒータ５１の電源配線である。
【００２９】
また、図１及び図２に示すように、本体１と容器２０との間に容器２０の回転をガイドするガイド体６０が備えられている。ガイド体６０は、外周が本体１の内壁に接し容器２０の上下を囲繞する一対のリング状の枠体６１と、上方の枠体６１と下方の枠体６１間に等角度関係で架設された複数の棒体６２と、下方の枠体６１を本体１の底部６に支持する複数の脚６３とを備えて構成されている。
上方の枠体６１には、容器２０の外側を転動する複数のローラ６４が備えられている。ローラ６４は、軸線が上下方向になるように枠体６１に固定した軸体６５に軸支されている。上下の枠体６１の一部には、ヒータ５１が挿通される切欠き６６，６６が形成されている。
【００３０】
従って、このグラウト用ポンプ装置Ｓを組付ける際は、グラウト用ポンプ装置Ｓを、図２に示すように、本体１に加温手段５０のヒータ５１がガイド体６０の切欠きに挿通されるように加温手段５０，ガイド体６０，容器２０の順に本体１内に入れていく。このため、簡単に組み立てができる。
【００３１】
グラウト用ポンプ装置Ｓを使用する際は、容器２０にグラウトを入れて、ポンプＰのサクション部１２を容器２０内に入れながら蓋３をし、止め部材４を蓋３に掛け止めて蓋３を本体１に固定する。
そして、電動モータ３４のスイッチ，ヒータ５１のスイッチを入れる。この場合、予め、ヒータ５１の設定温度をグラウトの流動性が保たれるよう所定の温度に設定しておく。
それから、グラウト用ポンプ装置Ｓを補修したい箇所へ持ち運び、吐出口部１４にホースを介して接続したガンを亀裂や隙間に差し入れてレバー１１を上下して本体１内のグラウトを吐出して、亀裂や隙間にグラウトを注入していく。
【００３２】
この際には、電動モータ３４のスイッチがＯＮされると、電動モータ３４の回転軸に備えられたプーリ４２が回転し、タイミングベルト４３を介して、テーブル３３の回転軸に備えられたプーリ４２が回転し、これにより、テーブル３３が回転する。
テーブル３３が回転すると、容器２０は、その軸凸部２１が軸凹部３６に入れられているとともにその突起２２が孔３７に入れられているので、テーブル３３に対して回り止めされていることから、容器２０の軸を中心にテーブル３３と同動し回転を始める。これにより、容器２０を確実に回転させることができる。
【００３３】
容器２０が回転を始めると、容器２０が遠心力でぐらつき易くなるが、ガイド体６０でガイドされているので、ぐらつかないで回転し、軸凸部２１や突起２２が、軸凹部３６及び孔３７から外れて容器２０が本体１内部で倒れてグラウトがこぼれる事態を防止することができる。
また、容器２０の外側を転動する複数のローラ６４が備えられていることから、ローラ６４が転動して容器２０をガイドするので、容器２０の回転を摩擦で止めることなく、ガイド体６０が円滑に容器２０をガイドすることができる。
【００３４】
このように容器２０が回転すると、ブレード３２によって容易かつ相対的に容器２０内のグラウトを確実に攪拌させることができる。これにより、容器２０内のグラウトの流動性を長く保つことができ、それだけ、補修作業を行なっている実質的な時間を増やすことができ、作業効率が向上できる。
【００３５】
また、加温手段５０のスイッチが入れられると、ヒータ５１がＯＮされて本体１内の温度は設定温度になるよう加温を始める。そして、攪拌手段３０で容器２０内のグラウトが攪拌されると、グラウトが容器２０内に分散していくとともに、加温手段５０により加温されるので、容器２０内のグラウトは均一に加温され、そのため、グラウトの硬化が始まりにくくなり、容器２０内のグラウトの流動性を長く保てるようになる。即ち、グラウトが攪拌，加温されているので本体１内にある間はグラウトの流動性が長く保持される。そのため、容器２０内のグラウトを使い切るまで補修作業を行なうことができ、補修作業を行なっている実質的な時間を有効に利用することができ、作業効率が向上する。
【００３６】
また、注入補修作業終了後は、グラウトが固まって本体１やポンプＰのサクション部１２に固着してしまわないうちに、できるだけ、速やかに洗浄することが欠かせない。このグラウト用ポンプ装置Ｓを洗浄する際は、まず、蓋３を取り外して、内部の容器２０を取り出す。それから、蓋３のポンプＰ及び容器２０を洗浄する。ポンプＰの洗浄はサクション部１２が露出するので比較的容易に行なうことができる。また、容器２０を洗浄する場合、上記従来のグラウト用ポンプ装置Ｓの本体１を洗浄する場合と比較して、本体１に蓋３を固定するための止め部材４がないことや、グラウトが入れられる容器２０が小さいこと等から洗浄を容易に行なうことができる。
【００３７】
【考案の効果】
以上説明したように、本考案のグラウト用ポンプ装置によれば、本体内部に開口から出し入れ可能に設けられグラウトが入れられる容器と、容器内のグラウトを攪拌する攪拌手段と、容器内のグラウトを加温する加温手段とを備えて構成したので、容器内のグラウトを攪拌できるとともに加温することができ、グラウトの硬化が始まりにくくなり、流動性が長く保たれるようになり、それだけ、補修作業を行なっている実質的な時間を増やすことができ、作業効率が向上できる。
【００３８】
また、攪拌手段を、容器の軸線を中心に回転させる回転機構と、容器内に設けられるブレードとを備えて構成した場合には、確実に攪拌を行なうことができ、グラウトの硬化が始まりにくくなり、流動性が長く保たれるようになり、それだけ、補修作業を行なっている実質的な時間を増やすことができ、作業効率が向上できる。
【００３９】
回転機構を、本体の底部に回転自在に設けられるテーブルと、本体に付設される電動モータと、電動モータの回転をテーブルに伝達する回転伝達機構とを備えて構成した場合には、電動モータを動かしてテーブルを回転させるだけで、グラウトを攪拌できるので、機構が簡易になる。
【００４０】
また、回転伝達機構をテーブルに延設した回転軸と、回転軸と電動モータの回転軸とに設けた一対のプーリと、一対のプーリ間に架け渡されるタイミングベルトとを備えて構成した場合には、タイミングベルト伝動機構を用いるので、テーブルが確実に回転され、容器も確実に回転し、攪拌を確実に行なうことができる。
更に、ブレードをサクション部に固定した場合には、ブレードを直接回転しなくてもグラウトを攪拌できるので、機構が容易になる。
【００４１】
更にまた、本体と容器との間に容器の回転をガイドするガイド体を備えた場合には、ガイド体で容器をガイドすることができ、容器がぐらつかないように回転させることができ、容器が本体内部で倒れてグラウトがこぼれる事態を防止することができる。
また、ガイド体に、容器の外側を転動するローラを複数備えた場合には、容器の回転を摩擦で止めることなく、ガイド体が円滑に容器をガイドすることができる。
【００４２】
また、加温手段を、本体内部に設けられ上記容器の外側を加温するヒータと、本体外部に設けられヒータの加温温度を制御する温度制御器とを備えた場合には、容器内のグラウトは設定温度に保たれるので、容器内のグラウトの流動性を長く保てるようになり、補修作業を行なっている実質的な時間を増やすことができ、この点においても作業効率が向上できる。
更に、ポンプを手動のピストンポンプで構成した場合には、製造コストを少なくできる。
【００４３】
そして、温度制御器に容器の温度を設定する温度設定ダイヤルを設け、温度制御器に上記容器の温度を検知するセンサの当該検知温度に基づいて、温度設定ダイヤルで設定された設定温度に制御する機能を備えた場合には、温度設定ダイヤルにより、設定温度が設定されて、センサにより容器の温度を検知し、加温を制御できるので、加温しすぎることがないので、効率よくグラウトを加温することができる。
【図面の簡単な説明】
【図１】本考案の実施の形態に係るグラウト用ポンプ装置を示す断面図である。
【図２】本考案の実施の形態に係るグラウト用ポンプ装置を示す分解斜視図である。
【図３】本考案の実施の形態に係るグラウト用ポンプ装置を示す斜視図である。
【図４】本考案の実施の形態に係るグラウト用ポンプ装置の回転機構を示す断面図である。
【図５】本考案の実施の形態に係るグラウト用ポンプ装置の回転機構を示す分解斜視図である。
【図６】従来のグラウト用ポンプ装置の一例を示す斜視図である。
【符号の説明】
Ｓ　グラウト用ポンプ装置
Ｐ　ポンプ
１　本体
２　開口
３　蓋
４　止め部材
８　支持体
１０　ピストンポンプ
１１　レバー
１２　サクション部
１４　吐出口部
１５　ベース
２０　容器
２１　軸凸部
２２　突起
３０　攪拌手段
３１　回転機構
３２　ブレード
３３　テーブル
３４　電動モータ
３５　回転伝達機構
３６　軸凹部
３７　孔
４０　テーブル回転軸
４１　モータ回転軸
４２　プーリ
４３　タイミングベルト
４４　平軸受け
５０　加温手段
５１　ヒータ
５２　温度制御器
５５　温度設定ダイヤル
６０　ガイド体
６４　ローラ
【図１】
0003097214.tif 000003
【図２】
0003097214.tif 000004
【図３】
0003097214.tif 000005
【図４】
0003097214.tif 000006
【図５】
0003097214.tif 000007
【図６】
0003097214.tif 000008